(57)【特許請求の範囲】
【請求項１】
遊技客により投入された遊技媒体を計数すると共に少なくとも計数結果を示す遊技媒体数データ及び固有の識別コードを記録した記録担体を発行する計数装置と、前記記録担体に記録された遊技媒体数データに相当した価額の景品を払い出すための景品精算装置とを備えた遊技場、若しくは、遊技客により投入された遊技媒体を計数すると共に少なくとも固有の識別コードを記録した記録担体を発行する計数装置と、この計数装置による各回の計数結果を示す遊技媒体数データを前記識別コードと対応付けて記憶する記憶手段と、この記憶手段から前記記録担体に記録された識別コードに対応した遊技媒体数データを読み出すと共にその遊技媒体数データに相当した価額の景品を払い出すための景品精算装置とを備えた遊技場に設置される監視装置において、
前記計数装置に設けられ、少なくとも当該計数装置の計数動作期間中の所定タイミングで動作信号を出力する信号発生手段と、
前記計数装置及びその周辺を撮影可能に配置された撮像装置と、
前記計数装置から出力される動作信号に基づいたタイミングで前記撮像装置による画像データを取り込むことにより、前記計数装置及びその周辺のコマ撮り画像データを得る撮像制御手段と、
前記コマ撮り画像データを、その画像撮影時に発行された記録担体に記録された識別コードと対応付けた状態で逐次記憶する画像データ記憶手段と、
前記景品精算装置に付随して設けられ、前記コマ撮り画像データを再生可能なモニタ装置と、
前記景品精算装置に設けられ、前記記録担体による景品払い出し時において、当該記録担体に記録された識別コードに対応したコマ撮り画像データを前記画像データ記憶手段から読み出して前記モニタ装置により再生する再生制御手段とを備えたことを特徴とする遊技場用の監視装置。
【請求項２】
前記計数装置に設けられ、当該計数装置からの発行記録担体に記録された遊技媒体数データ及び識別コードを含む管理用データを出力する補助信号発生手段と、
このデータ発生手段から出力される管理用データを逐次記憶する管理用データ記憶手段とを備え、
前記再生制御手段は、前記記録担体による景品払い出し時において、当該記録担体に記録された識別コードに対応したコマ撮り画像データを前記モニタ装置により再生する際に、上記識別コードに対応した管理用データを前記管理用データ記憶手段から読み出して上記モニタ装置による再生画像中に表示するように構成されていることを特徴とする請求項１記載の遊技場用の監視装置。
【請求項３】
前記信号発生手段は、前記計数装置の計数動作開始タイミング及び計数動作終了タイミングで前記動作信号として計数開始信号及び計数終了信号を発生するように構成され、
前記撮像制御手段は、前記計数開始信号が出力された時点で前記コマ撮り画像データを得ると共に、その後に予め設定された時間が経過する毎に上記コマ撮り画像データを得る動作を反復し、さらに前記計数終了信号が出力された時点でコマ撮り画像データを得る動作を実行するように構成されていることを特徴とする請求項１または２記載の遊技場用の監視装置。
【発明の詳細な説明】
【０００１】
【産業上の利用分野】
本発明は、パチンコホールなどの遊技場に設置される監視装置、特には、遊技客により投入された遊技媒体を計数すると共に少なくとも計数結果を示す遊技媒体数データ及び固有の識別コードを記録した記録担体を発行する計数装置と、上記のような記録担体に記録された遊技媒体数データに相当した価額の景品を払い出すための景品精算装置とを備えた遊技場用の監視装置に関する。
【０００２】
【従来の技術】
近年のパチンコホールにおいては、パチンコホール内の複数箇所、例えば所謂島の端などに遊技客の獲得パチンコ玉を計数するための計数装置を設置することによって、景品交換時におけるパチンコ玉の持ち運び距離の短縮などを実現し、以て遊技客の便宜を図るようにした景品払出システムを構築することが一般的となっている。具体的には、上記計数装置は、投入されたパチンコ玉を計数すると共に、その計数結果を示す景品玉数データを数字列及びバーコードにより記録して成る景品引換券をプリントアウトする構成となっており、この景品引換券には、固有の識別コードである通し番号及びパチンコホール固有のＩＤコードなどもバーコードを利用して記録される。また、パチンコホール内の景品交換カウンタには、上記景品引換券にバーコードにより記録された景品玉数データ及びＩＤコードなどを読み込むためのバーコードリーダを備えた景品精算装置が設置される。この景品精算装置は、景品引換券の真贋を前記ＩＤコードなどを利用して判断すると共に、当該景品引換券から読み込んだ景品玉数データを表示装置により表示する機能などを備えており、その表示内容に基づいて景品払い出しを行うようになっている。
【０００３】
【発明が解決しようとする課題】
ところで、上記のような計数装置は、パチンコホール内の複数箇所に分散した状態で配置されるものであり、従ってパチンコホール従業員による監視の目が行き届かないという事情下にある。このため、遊技客の中には、計数装置によるパチンコ玉の計数時においてパチンコホール側の目を盗んで細工を施すことによって、当該計数装置から、実際に投入されたパチンコ玉の数より大きな値の景品玉数データを記録した景品引換券を発行させ、その景品引換券を使用して景品の不正な払い出しを受ける者が往々にしてある。特に、近年では、上記のような不正行為が組織的に行われる傾向にあって、場合によってはパチンコホール側の損害が大幅に増大する虞がある。
【０００４】
そこで、従来では、上記のような不正行為に対処するために、計数装置及びその周辺を撮影するテレビカメラを配置すると共に、適宜場所に設けられた監視ルーム内に、上記テレビカメラによる撮影画像をリアルタイムで再生するモニタ装置を設置し、その再生画像によって計数装置に対する前述のような不正行為の有無を監視することが考えられている
しかしながら、この場合には、モニタ装置を常時においてリアルタイムで監視する必要があるため、実際の運用上において上記モニタ装置を通じた監視を確実に行うためには、専従の監視者（パチンコホール従業員）をおく必要があり、しかも、運用時には、複数箇所に設置される複数の計数装置に対応した数のモニタ装置を設置して監視する構成、若しくは複数の計数装置及びその周辺を複数のテレビカメラにより撮影した画像を、モニタ装置側において順次切換えながら監視する構成を採用することになるから、その監視のための負担がさらに大きくなるという事情があり、実際には実現困難である。
【０００５】
また、上記のような不正行為の監視という消極的な機能に頼らずに、計数装置自体に前記不正行為に積極的に対処できる機能を設けることも考えられるが、このような機能を完全に満たした不正防止装置は、その実現がほとんど不可能な状況にある。このため、従来より、計数装置に対する不正行為の監視を、簡便且つ効率良く行うことができる監視装置の出現が望まれている。
【０００６】
本発明は上記事情に鑑みてなされたものであり、その目的は、遊技客により投入された遊技媒体を計数すると共にその計数結果を示す遊技媒体数データを記録した記録担体を発行するための計数装置に対する不正行為の監視を、監視者の負担増を伴うことなく簡便且つ効率良く行うことが可能になる遊技場用の監視装置を提供することにある。
【０００７】
【課題を解決するための手段】
本発明は上記目的を達成するために、遊技客により投入された遊技媒体を計数すると共に少なくとも計数結果を示す遊技媒体数データ及び固有の識別コードを記録した記録担体を発行する計数装置と、前記記録担体に記録された遊技媒体数データに相当した価額の景品を払い出すための景品精算装置とを備えた遊技場、若しくは、遊技客により投入された遊技媒体を計数すると共に少なくとも固有の識別コードを記録した記録担体を発行する計数装置と、この計数装置による各回の計数結果を示す遊技媒体数データを前記識別コードと対応付けて記憶する記憶手段と、この記憶手段から前記記録担体に記録された識別コードに対応した遊技媒体数データを読み出すと共にその遊技媒体数データに相当した価額の景品を払い出すための景品精算装置とを備えた遊技場に設置される監視装置において、前記計数装置に設けられ、少なくとも当該計数装置の計数動作期間中の所定タイミングで動作信号を出力する信号発生手段と、前記計数装置及びその周辺を撮影可能に配置された撮像装置と、前記計数装置から出力される動作信号に基づいたタイミングで前記撮像装置による画像データを取り込むことにより、前記計数装置及びその周辺のコマ撮り画像データを得る撮像制御手段と、前記コマ撮り画像データを、その画像撮影時に発行された記録担体に記録された識別コードと対応付けた状態で逐次記憶する画像データ記憶手段と、前記景品精算装置に付随して設けられ、前記コマ撮り画像データを再生可能なモニタ装置と、前記景品精算装置に設けられ、前記記録担体による景品払い出し時において、当該記録担体に記録された識別コードに対応したコマ撮り画像データを前記画像データ記憶手段から読み出して前記モニタ装置により再生する再生制御手段とを備えた構成としたものである（請求項１）。
【０００８】
この場合、前記計数装置に、当該計数装置からの発行記録担体に記録された遊技媒体数データ及び識別コードを含む管理用データを出力する補助信号発生手段を設けると共に、このデータ発生手段から出力される管理用データを逐次記憶する管理用データ記憶手段を設け、前記再生制御手段を、前記記録担体による景品払い出し時において、当該記録担体に記録された識別コードに対応したコマ撮り画像データを前記モニタ装置により再生する際に、上記識別コードに対応した管理用データを前記管理用データ記憶手段から読み出して上記モニタ装置による再生画像中に表示する構成としても良い（請求項２）。
【０００９】
また、前記信号発生手段を、前記計数装置の計数動作開始タイミング及び計数動作終了タイミングで前記動作信号として計数開始信号及び計数終了信号を発生する構成とし、前記撮像制御手段を、前記計数開始信号が出力された時点で前記コマ撮り画像データを得ると共に、その後に予め設定された時間が経過する毎に上記コマ撮り画像データを得る動作を反復し、さらに前記計数終了信号が出力された時点でコマ撮り画像データを得る動作を実行する構成とすることもできる（請求項３）。
【００１０】
【作用及び発明の効果】
（請求項１）遊技により獲得した遊技媒体を景品と交換する場合には、その遊技媒体を計数装置に投入して計数動作を行わせる。すると、当該計数装置から、少なくとも上記計数結果を示す遊技媒体数データ及び固有の識別コードを記録した記録担体が発行されるか、若しくは、上記計数装置から、少なくとも固有の識別コードを記録した記録担体が発行されると共に、記憶手段に対して、上記のような計数結果を示す遊技媒体数データが上記記録担体に記録された前記識別コードと対応付けた状態で記憶されるから、景品精算装置を通じて、上記記録担体に記録された遊技媒体数データ、若しくは上記記憶手段に記憶された遊技媒体数データに相当した価額の景品を払い出させれば良い。この場合、計数装置において計数動作が行われた場合には、その計数装置に設けられた信号発生手段が、少なくとも上記のような計数動作期間中の所定タイミングで動作信号を出力するようになる。
【００１１】
このように動作信号が出力されると、撮像制御手段が、当該動作信号に基づいたタイミングで撮像装置による画像データを取り込むことにより、前記計数装置及びその周辺のコマ撮り画像データを得るようになる。このように得られるコマ撮り画像データは、その画像撮影時に発行された記録担体に記録された識別コードと対応付けた状態で画像データ記憶手段に逐次記憶されるようになる。
【００１２】
前記景品精算装置において、前記記録担体による景品払い出しが行われる場合には、その景品精算装置に設けられた再生制御手段が、前記画像データ記憶手段から、当該記録担体に記録された識別コードに対応したコマ撮り画像データを読み出すと共に、その画像データを上記景品精算装置に付随したモニタ装置により再生するようになる。
【００１３】
この結果、記録担体を利用した景品の払い出しが景品精算装置を通じて行われる場合には、その記録担体の発行元となった計数装置において当該記録担体発行のため計数動作を行っている模様を示すコマ撮り画像がモニタ装置により再生されるようになるから、その再生画像によって計数装置に投入された遊技媒体のおおよその数を確認可能になる。従って、上記画像を通じて確認できる計数装置への投入遊技媒体数と、上記の景品払い出しに供された記録担体に記録されている遊技媒体数データとが大きく異なる場合には、これを何らかの異常と判断できるようになるから、その判断結果に基づいて、計数装置に対する不正行為に確実に対処可能となる。この場合、モニタ装置には、記録担体を利用した景品の払い出しが行われるときに監視用の画像が自動的に再生されるから、従来のようにモニタ装置による再生画像を常時において監視する必要がなくなるものであり、結果的に、計数装置に対する不正行為の監視を、監視者の負担増を伴うことなく簡便且つ効率良く行い得るようになる。
【００１４】
請求項２記載の装置では、計数装置から記録担体が発行されたとき、つまり当該計数装置において計数動作が終了したときには、補助信号発生手段が、上記発行記録担体に記録された遊技媒体数データ及び識別コードを含む管理用データを出力するようになり、このように出力された管理用データは、管理用データ記憶手段に逐次記憶されるようになる。
【００１５】
前記景品精算装置において、前記記録担体による景品払出が行われる場合には、前記再生制御手段は、前述したように、当該記録担体に記録された識別コードに対応したコマ撮り画像データを前記モニタ装置により再生するようになるが、その再生の際には、上記識別コードに対応した管理用データ（発行記録担体に記録された遊技媒体数データ及び識別コードを含む）を前記管理用データ記憶手段から読み出して上記モニタ装置による再生画像中に表示するようになる。
【００１６】
この結果、記録担体を利用した景品の払い出しが景品精算装置を通じて行われる場合には、その記録担体の発行元となった計数装置において当該記録担体発行のため計数動作を行っている模様を示すコマ撮り画像がモニタ装置により再生される際に、そのモニタ装置による再生画像中に上記記録担体に記録された遊技媒体数データ及び識別コードが表示されるようになるから、上記画像を通じて確認できる計数装置への投入遊技媒体数と、景品払い出しに供された記録担体に記録されている遊技媒体数データとの差異の判断を迅速且つ簡単に行い得るようになり、計数装置に対する不正行為への対処をさらに確実に行い得るようになる。
【００１７】
請求項３記載の装置では、計数装置において計数動作が行われた場合には、その計数装置に設けられた信号発生手段が、当該計数装置の計数動作開始タイミング及び計数動作終了タイミングで計数開始信号及び計数終了信号を発生するようになる。この場合、撮像制御手段にあっては、上記計数開始信号が出力された時点で前記コマ撮り画像を得ると共に、その後に予め設定された時間が経過する毎に上記コマ撮り画像データを得る動作を反復し、さらに、上記計数終了信号が出力された時点でコマ撮り画像データを得る動作を実行するようになる。
【００１８】
この結果、計数装置において遊技媒体の計数動作が行われている期間には、その期間の最初及び最後のコマ撮り画像が得られると共に、当該期間の途中のコマ撮り画像を得ることも可能になるため、モニタ装置による再生画像を通じた不正行為の確認を確実に行い得るようになる。
【００１９】
【実施例】
以下、本発明をパチンコホール用の監視装置に適用した一実施例について図面を参照しながら説明する。
図１には、監視装置全体の電気的構成が機能ブロックの組み合わせにより示されている。この図１において、多数台の計数ユニット１（本発明でいう計数装置に相当）は、パチンコホール内の複数箇所（例えば所謂島の端に位置した各場所）に設置されるもので、その具体的構成については後述する。複数台のＣＣＤカメラ２（本発明でいう撮像手段に相当）は、前記計数ユニット１及びその周辺を撮影可能に配置されている。このＣＣＤカメラ２は、その動作制御が後述する録画制御装置３（本発明でいう撮像制御手段に相当）によりスイッチユニット４を通じて行われるようになっていると共に、撮影動作に応じた画像信号をスイッチユニット４を通じて録画制御装置３に与える構成となっている。尚、上記録画制御装置３には、前記計数ユニット１からの出力信号が入力回路５を介して与えられるようになっている。
【００２０】
画像メモリ６は、本発明でいう画像データ記憶手段に相当するもので、ＣＣＤカメラ２による後述のようなコマ撮り画像データを、録画制御装置３を通じて逐次記憶するために設けられている。データメモリ７は、本発明でいう管理用データ記憶手段に相当するもので、計数ユニット１から後述のように出力される管理用データΔＤを逐次記憶するために設けられている。
【００２１】
複数台のＰＯＳ端末８（本発明でいう景品精算装置に相当）は、パチンコホール内における景品交換カウンタに設置されるもので、その具体的構成については後述するが、前記計数ユニット１から出力される管理用データΔＤを中継器９を通じて受けたときに当該データΔＤを図示しない内部メモリに逐次記憶すると共に、後述する画像出力制御装置１０との間で入出力回路１１を通じてデータ信号の授受を行う構成となっている。尚、上記画像出力制御装置１０は、前記画像メモリ６及びデータメモリ７にアクセスできるようになっており、そのアクセスに応じて上記各メモリ６及び７の記憶データを読み出し得る構成となっている。
【００２２】
前記計数ユニット１は、以下に述べるような構成となっている。
即ち、計数ユニット１の電気的構成を機能ブロックの組み合わせにより示す図９において、計数部１２は、投入されたパチンコ玉を計数すると共に、その計数値に応じた数値信号を、マイクロコンピュータを含んで構成された制御部１ａ（本発明でいう信号発生手段及び補助信号発生手段に相当）に対しリアルタイムで与えるようになっている。
【００２３】
上記制御部１ａは、計数部１２から入力される数値信号、発券ボタン１３の操作状態を示す信号及び予め記憶した制御用プログラムに基づいて、表示部１４を通じた表示制御、印字部１５を通じたシート状の景品引換券（本発明でいう記録担体に相当するもので、図１１に符号ＫＴを付して示す）の発行制御、並びに送信部１６を通じた管理用データΔＤの送信制御を行うように構成されたものであり、以下、その制御内容について図１０を参照しながら説明する。
【００２４】
図１０において、制御部１ａは、計数部１２による計数動作が開始されるまで、つまり当該計数部１２から数値信号が入力されるまで待機状態を保持する（ステップＤ１）。計数部１２による計数動作が開始されたときには、動作信号としての計数開始信号Ｓａを録画制御装置３へ送信部１６を通じて送信する（ステップＤ２）。
【００２５】
この場合、上記計数開始信号Ｓａは、図１２に示すフォーマット例のように、計数開始信号Ｓａであることを示す種類コードと、計数ユニット１に固有の通し番号である装置番号と、当該計数ユニット１から現在進行中の計数動作に関連して発行される景品引換券ＫＴの通し番号である発券番号とを組み合わせた構成となっている。尚、図１２中の「χ」は、この実施例の場合、任意の１０進数或いは１６進数が入るという意味であり、以下の説明で出現する「χ」も同様の意味を示すものである。
【００２６】
図１０に翻って、計数開始信号Ｓａを出力するステップＤ２を実行した後には、計数部１２からの数値信号に基づいた計数・表示処理ルーチンＤ３を実行する。このルーチンＤ３では、計数部１２から次々と入力される数値信号により示される計数値を予め設定された特定景品の交換単価にて除算すると共に、表示部１４に対して、上記計数値（投入されたパチンコ玉数を示す）と、上記除算結果である商（投入パチンコ玉を特定景品と交換する場合の景品個数）及び余り数（投入パチンコ玉を特定景品と交換する場合の余りパチンコ玉数）とをデジタル表示する動作を、計数部１２において投入パチンコ玉の計数動作が終了するまで繰り返し行う。
【００２７】
上記計数・表示処理ルーチンＤ３が終了した後には、発券ボタン１３の操作が行われるまで待機し（ステップＤ４）、発券ボタン１３が操作されたときには発券処理ルーチンＤ５を実行する。このルーチンＤ５では、前記計数・表示処理ルーチンＤ３での処理結果に基づいた景品引換券ＫＴを印字部１５を通じて発行する。
【００２８】
ここで、上記景品引換券ＫＴは、図１１のようなフォーマットとなっている。即ち、図１１において、景品引換券ＫＴには、「景品引換券」の名称ａ１、発行年月日及び時間より成る日時データａ２、本発明でいう識別コードに相当した発券番号ａ３（これには発券元の計数ユニット１の装置番号も含まれる）、景品玉数ａ４（計数・表示処理ルーチンＤ３において得られた商、つまり投入パチンコ玉を特定景品と交換する場合の景品個数に対して当該特定景品の交換単価とを乗じた数）、余りパチンコ玉数ａ５、パチンコホール名ａ６、データ読み取り用のバーコードａ７が印字される。尚、上記バーコードａ７は、パチンコホールに固有のＩＤコードと共に、上記発券番号（及び装置番号）、パチンコ玉数及び余りパチンコ玉数などを含んだ構成とされる。
【００２９】
上記のような発券処理ルーチンＤ５が終了した後には、動作信号としての計数終了信号Ｓｂを録画制御装置３へ送信部１６を通じて送信するステップＤ６、管理用データΔＤを録画制御装置３へ送信部１６を通じて送信すると共にＰＯＳ端末８へ中継器９を通じて送信するステップＤ７を実行した後に、前記判断ステップＤ１へ戻る。
【００３０】
尚、上記計数終了信号Ｓｂは、図１３に示すように前述した計数開始信号Ｓａと同様のフォーマットとされたもので、計数終了信号Ｓｂあることを示す種類コードと、装置番号と、発券番号とを組み合わせた構成となっている。また、上記管理用データΔＤは、図１４に示すように、管理用データΔＤであることを示す種類コード、前記装置番号及び発券番号と、前記景品引換券ＫＴに印字された景品玉数ａ４及び余りパチンコ玉数ａ５をそれぞれ示す玉数データ及び余りデータとを組み合わせた構成となっている。
【００３１】
以上要するに、計数ユニット１においては、パチンコ玉が投入されたときに、そのパチンコ玉を計数すると共に、その計数値並びに当該投入パチンコ玉と交換可能な特定景品の個数などを表示部１４に表示するものであり、上記パチンコ玉の計数動作開始時及び終了時に、計数開始信号Ｓａ及び計数終了信号Ｓｂを録画制御装置３へ送信するものである。また、計数ユニット１は、パチンコ玉の計数動作が終了した後に発券スイッチ１３が操作されたときには、図１１のような景品引換券ＫＴを印字部１５を通じて発行すると共に、その景品引換券ＫＴに記録したデータを含む管理用データΔＤを録画制御装置３及びＰＯＳ端末８へ送信するものである。
【００３２】
一方、図２及び図３には、前記録画制御装置３による制御内容が示されており、以下これについて説明する。
即ち、録画制御装置３は、図２に示す入出力処理及び図３に示す画像記憶処理を並列処理により実行するようになっている。具体的には、図２に示す入力出力処理においては、計数ユニット１からの計数開始信号Ｓａ及び計数終了信号Ｓｂの入力の有無をそれぞれ判断するものであり（ステップＡ１、Ａ２）、計数開始信号Ｓａが入力されたとき、つまり計数ユニット１でのパチンコ玉の計数動作が開始されたときには、撮像制御処理ルーチンＡ３を実行する。
【００３３】
上記撮像制御処理ルーチンＡ３では、複数台のＣＣＤカメラ２のうち、入力された計数開始信号Ｓａに含まれる装置番号により特定される計数ユニット１に対応したＣＣＤカメラ２をスイッチユニット４を通じて動作させることにより、当該計数ユニット１及びその周辺を撮影させるようになる。尚、録画制御装置３には、図示しない内部メモリ中に図５に示すようなカメラ番号テーブルが設定されており、このテーブルを利用して上述のように動作させるＣＣＤカメラ２を特定する構成となっている。
【００３４】
上記撮像制御ルーチンＡ３の実行後には、上記のように動作させたＣＣＤカメラ２による画像データをスイッチユニット４を通じて入力開始し（ステップＡ４）、この後にステップＡ１へ戻る。
【００３５】
前記計数終了信号Ｓｂが入力されたとき（ステップＡ２で「ＹＥＳ」）、つまり計数ユニット１でのパチンコ玉の計数動作が終了したときには、管理用データ入力処理ルーチンＡ５において、計数ユニット１から引換券ＫＴの発行に連動して送信されてくる管理用データΔＤを入力してデータメモリ７に記憶する。具体的には、データメモリ７に対しては、そのフォーマットを示す図６のように、管理用データΔＤ中の発券番号、装置番号、玉数データ及び余りデータが、引換券ＫＴの発行年月日及び日時を示す日時データと共に記憶される。
【００３６】
上記管理用データ入力処理ルーチンＡ５の実行後には、ＣＣＤカメラ２をスイッチユニット４を通じて動作停止させることにより画像データの入力を停止し（ステップＡ６）、この後にステップＡ１へ戻る。
【００３７】
図３に示す画像記憶処理は、前記計数開始信号Ｓａの入力時に開始されるものであり、まず、内部タイマのタイマ動作を開始させる（ステップＢ１）。この内部タイマは、そのタイマ動作期間中において一定時間Ｔが経過する毎にトリガ信号を出力する繰り返しタイマとして構成されたものである。このような内部タイマのタイマ動作を開始させた後には、画像データ記憶ルーチンＢ２において、スイッチユニット４を通じて入力されている画像データを取り込むことにより、計数ユニット１及びその周辺の例えば１フレーム分のコマ撮り画像データを得ると共に、当該コマ撮り画像データを画像メモリ６に記憶する。この場合、画像メモリのフォーマットを示す図７のように、画像メモリ６においては、上記コマ撮り画像データを、その画像撮影時に発行された景品引換券ＫＴに記録された発券番号（識別コードに相当）に対応したメモリエリアに記憶する。
尚、上記コマ撮り画像データは、非連続の複数フレーム分ずつ得る構成としても良いものである。
【００３８】
上記画像データ記憶ルーチンＢ２の実行後には、計数終了信号Ｓｂが入力されるまで、若しくは前記内部タイマからトリガ信号が出力されるまで待機するループを形成する（ステップＢ３、Ｂ４）。内部タイマからトリガ信号が出力されたとき、つまり前記計数開始信号Ｓａの入力後に時間Ｔの整数倍の時間が経過したときには、画像データ記憶ルーチンＢ２を再実行した後に、上記待機ループ（ステップＢ３、Ｂ４）を形成する。
【００３９】
このような待機ループの形成状態で、計数終了信号Ｓｂが入力されたとき（ステップＢ３で「ＹＥＳ」）には、前記ルーチンＢ２と同じ制御内容の画像データ記憶ルーチンＢ５を実行した後に、前記内部タイマのタイマ動作を停止させて初期状態にリターンする。
【００４０】
以上要するに、録画制御装置３にあっては次に述べるような動作を行うものである。
計数ユニット１における計数動作が開始されるのに応じて当該計数ユニット１から計数開始信号Ｓａが出力されたときには、複数台のＣＣＤカメラ２のうち、上記計数開始信号Ｓａの発生源となった計数ユニット１に対応したものを動作させることにより、当該ＣＣＤカメラ２から上記計数ユニット１及びその周辺の画像データを出力させるようになる。
【００４１】
そして、上記画像データを、図４のタイミングチャートに示す各タイミングｔ1 、ｔ2 、…、ｔ(n-1) 、ｔｎで取り込むことにより（但し、ｎは２以上の整数）、複数フレーム分のコマ撮り画像データを得ると共に、それらのコマ撮り画像データを、その画像撮影時に計数ユニット１において発行された景品引換券ＫＴに記録された発券番号と共に画像メモリ６に記憶する。尚、図４において、ｔ1 は計数ユニット１から計数開始信号Ｓａが出力されたタイミング、ｔ2 、ｔ3 、…ｔ(n-1) は計数開始信号Ｓａの出力後に時間Ｔの整数倍の時間が経過した各タイミング、ｔｎは計数ユニット１から計数終了信号Ｓｂが出力されたタイミングである。但し、計数開始信号Ｓａの出力タイミングから計数終了信号Ｓｂの出力タイミングまでの時間がＴ以下の場合には、図４中のタイミングｔ2 、ｔ3 、…、ｔ(n-1) は存在しないことになる。
【００４２】
さらに、計数ユニット１での計数動作が終了するのに応じて当該計数ユニット１から計数終了信号Ｓｂが出力されたときには、その計数動作に関連して計数ユニット１から発行された景品引換券ＫＴに記録されたデータ（装置番号、発券番号、玉数データ、余りデータ）に対応した管理用データΔＤをデータメモリ７に記憶する。
【００４３】
図８には、前記画像出力制御装置１０による制御内容が示されており、以下これについて説明する。
即ち、図８において、画像出力制御装置１０は、ＰＯＳ端末８から送信されてくる画像リクエスト信号Ｓｒが入力されるまで待機する（ステップＣ１）。尚、上記画像リクエスト信号Ｓｒは、ＰＯＳ端末８において、景品引換券ＫＴのバーコードａ７（図１１参照）を後述のように読み込んだ場合に送信されるものであり、図１８に示すフォーマット例のように、画像リクエスト信号Ｓｒであることを示す種類コードと、ＰＯＳ端末８に固有の通し番号である端末番号と、当該ＰＯＳ端末８で読み込んだバーコードａ７中の発券番号とを組み合わせた構成となっている。
【００４４】
画像リクエスト信号Ｓｒが入力されたときには、スーパーインポーズ処理ルーチンＣ２を実行する。このルーチンＣ２では、画像メモリ６中から、上記画像リクエスト信号Ｓｒに含まれる発券番号に対応したコマ撮り画像データ群（つまり、上述の景品引換券ＫＴの発行元となった計数ユニット１及びその周辺を撮影したコマ撮り画像データ群）を読み出すと共に、データメモリ７中から、上記発券番号に対応したデータ（装置番号、玉数データ、余りデータ、日時データ）を読み出し、その発券番号及び読み出しデータを、上述のように読み出した各コマ撮り画像データに対してスーパーインポーズ処理するという画面合成（ミキシング処理）を行う。
【００４５】
このようなスーパーインポーズ処理ルーチンＣ２の実行後には、画像出力処理ルーチンＣ３において、上記のようなスーパーインポーズ処理が施されたコマ撮り画像データ群を、前記画像リクエスト信号Ｓｒの送信源となったＰＯＳ端末８へ送信する制御を行い、この後に前記判断ステップＣ１へ戻る。
【００４６】
要するに、画像出力制御装置１０は、ＰＯＳ端末８側において景品引換券ＫＴからのデータ読み込み動作が行われたときに、その景品引換券ＫＴの発行元である計数ユニット１及びその周辺を撮影したコマ撮り画像データに対して、上記引換券ＫＴに記録されているデータ（発券番号、装置番号、玉数データ、余りデータ、日時データ）のスーパーインポーズ処理を施し、斯様な処理を施した後のコマ撮り画像データを、上記ＰＯＳ端末８へアンサバックするものである。
【００４７】
さて、ＰＯＳ端末８は、以下に述べるような構成となっている。
即ち、ＰＯＳ端末８の電気的構成を機能ブロックの組み合わせにより示す図１５において、カードリーダ１７は、遊技客が持参した景品引換券ＫＴから、当該景品引換券ＫＴに記録されているバーコードａ７を読み取って制御部８ａ（本発明でいう再生制御手段に相当）に与えるために設けられている。
【００４８】
上記制御部８ａは、マイクロコンピュータを含んで構成されたもので、カードリーダ１７による読み取りデータ、操作部１８からの操作信号及び予め記憶した制御用プログラムに基づいて、液晶ディスプレイなどより成る表示部１９を通じたデータ表示制御、ＣＲＴディスプレイなどより成るモニタ装置２０を通じた画像再生制御、印字部２１を通じたデータ印字制御、並びに送受信部２２を通じたデータ送受信制御を行うようになっており、以下、その制御内容について図１６を参照しながら説明する。
【００４９】
図１６において、制御部８ａは、カードリーダ１７が、景品引換券ＫＴに記録されたバーコードａ７を読み込むまで待機状態を保持する（ステップＥ１）。景品引換券ＫＴからバーコードａ７を読み取ったときには、引換券照合処理ルーチンＥ２において、その読み取りデータを図示しない内部メモリに設定されたバッファメモリエリアに記憶すると共に、上記読み取りデータ中のＩＤコード、発券番号、パチンコ玉数及び余りパチンコ玉数の各データと、計数ユニット１から中継装置９を通じて受けて内部メモリに記憶した状態にある管理用データΔＤとを照合し、その照合結果に基づいて上記景品引換券ＫＴが真正なものか否かを判断する（ステップＥ３）。
【００５０】
景品引換券ＫＴが真正なものでなかった場合には、受付拒否処理ルーチンＥ４において、表示部１９に対して該当景品引換券ＫＴが使用できない旨の表示を行うと共に、前記バッファメモリエリアの記憶内容を初期化し、この後に前記判断ステップＥ１へ戻る。
【００５１】
景品引換券ＫＴが真正なものであった場合には、払出用表示処理ルーチンＥ５において、景品引換券ＫＴから読み込んだパチンコ玉数及び余りパチンコ玉数を示すデータ、並びにそのデータに基づいて計算した特定景品の払出個数などを示すデータを、表示部１９に表示する。
【００５２】
この払出用表示処理ルーチンＥ５の実行後には、前述した画像リクエスト信号Ｓｒ（図１８参照）を画像出力制御装置１０へ送信するステップＥ６を実行した後に、画像表示処理ルーチンＥ７を実行して判断ステップＥ１へ戻る。このルーチンＥ７では、上記画像リクエスト信号Ｓｒの送信に応じて画像出力制御装置１０からアンサバックされてくるコマ撮り画像データ群（景品引換券ＫＴに記録されているデータのスーパーインポーズ処理が施されたコマ撮り画像データ）を、モニタ装置２０に対して１フレーム分ずつ表示するものである。
【００５３】
尚、図１７には、モニタ装置２０による再生例を示しており、この例では、ＣＣＤカメラ２により撮影された計数ユニット１及びその周辺の映像が、景品引換券ＫＴに記録されていた日時データａ２、装置番号及び発券番号ａ３、景品玉数ａ４、余りパチンコ玉数ａ５と共に表示した状態となっている。この場合、モニタ装置２０に表示されたコマ撮り画像のフレーム切換は、操作部１８を通じた操作により行い得るようになっている。
【００５４】
以上要するに、ＰＯＳ端末８にあっては、遊技客が持参した景品引換券ＫＴに記録されたデータをカードリーダ１７を通じて読み取ったときには、その景品引換券ＫＴが真正なものであった場合のみ、当該引換券ＫＴによる景品の払い出しに必要なデータを表示部１９に表示すると共に、上記景品引換券ＫＴの発行元となった計数ユニット１及びその周辺のコマ撮り画像データをモニタ装置２０に表示するようになる。
【００５５】
従って、上記した本実施例の構成によれば、景品引換券ＫＴを利用した景品の払い出しがＰＯＳ端末８を通じて行われる場合には、その景品引換券ＫＴの発行元となった計数ユニット１において当該景品引換券ＫＴ発行のため計数動作を行っている模様を示すコマ撮り画像がモニタ装置２０により再生されるようになるから、その再生画像によって計数ユニット１に投入されたパチンコ球のおおよその数を確認可能になる。従って、上記画像を通じて確認できる計数ユニット１への投入パチンコ玉数と、上記の景品払い出しに供された景品引換券ＫＴに記録されているパチンコ玉数を示すデータとが大きく異なる場合には、これを何らかの異常と判断できるようになるから、その判断結果に基づいて、計数ユニット１に対する不正行為に確実に対処可能となる。
【００５６】
この場合、モニタ装置２０には、景品引換券ＫＴを利用した景品の払い出しが行われるときに監視用のコマ撮り画像が自動的に再生されるから、従来のようにモニタ装置による再生画像を常時において監視する必要がなくなるものであり、結果的に、計数ユニット１に対する不正行為の監視を、監視者（パチンコホール従業員）の負担増を伴うことなく簡便且つ効率良く行い得るようになる。
【００５７】
しかも、上記のようなモニタ装置２０によるコマ撮り画像の再生の際には、その再生画像中に、上記景品引換券ＫＴに対応した管理用データ（発券番号、装置番号、玉数データ、余りデータ、日時データ）が、スーパーインポーズ画像として表示されるようになるから、前述のように、モニタ装置２０での再生画像を通じて確認できる計数ユニット１への投入パチンコ玉数と、景品払い出しに供された景品引換券ＫＴに記録されているパチンコ玉数データとの差異の判断を迅速且つ簡単に行い得るようになり、計数ユニット１に対する不正行為への対処をさらに確実に行い得るようになる。
【００５８】
また、計数ユニット１においてパチンコ玉の計数動作が行われている期間には、その期間の最初及び最後のコマ撮り画像が得られると共に、当該期間の途中のコマ撮り画像が時間Ｔの間隔で得られることなるため、モニタ装置２１による再生画像が、パチンコ玉の計数動作期間において平均的な間隔で得られるようになり、以て当該再生画像を通じた不正行為の確認を確実に行い得るようになる。
【００５９】
尚、本発明は上記した実施例に限定されるものではなく、次のような変形または拡張が可能である。
遊技客により投入されたパチンコ玉を計数すると共に少なくとも固有の識別コードを記録した記録担体（レシート或いは磁気カードなど）を発行する計数装置と、この計数装置による各回の計数結果を示すパチンコ玉数データを前記識別コードと対応付けて記憶する記憶手段と、この記憶手段から前記記録担体に記録された識別コードに対応した遊技媒体数データを読み出すと共にその遊技媒体数データに相当した価額の景品を払い出すための景品精算装置とを備えた構成としても良い。
【００６０】
パチンコ玉を計数するための計数ユニット１を監視対象としたが、スロットマシン用の遊技媒体であるメタルを計数するための計数装置などを監視対象としても良い。また、記録担体としてレシート状の景品引換券ＫＴを発行する構成としたが、記録担体として磁気カードより成る引換券を発行したり、予め遊技客に発行されている磁気カード或いはＩＣカードなどより成る会員カードに所定の管理用データを記録して発行する構成としても良い。但し、このような構成とする場合には、実際には、上記磁気カード或いは会員カードのＩＤコードに対応付けた状態の管理用データを、ホストコンピュータなどに別途に記憶するシステムとすることが望ましい。
【００６１】
計数ユニット１から計数開始信号Ｓａが出力された時点から計数終了信号Ｓｂが出力されるまでの期間において、当該計数ユニット１及びその周辺を複数のタイミングで撮影することにより複数フレーム分の画像データを得る構成としたが、少なくとも１フレーム分の画像データを得る構成であれば良い。モニタ装置２０による再生画像中に種々のデータをスーパーインポーズする構成としたが、このような構成は必要に応じて採用すれば良い。モニタ装置２０による再生画像は、カラー或いはモノクロの何れであっても良い。
【図面の簡単な説明】
【図１】本発明の一実施例の全体構成を示す機能ブロック図
【図２】録画制御装置による制御内容を示すフローチャートその１
【図３】録画制御装置による制御内容を示すフローチャートその２
【図４】録画制御装置の作用を説明するためのタイミングチャート
【図５】録画制御装置に設定されたカメラ番号テーブルを示す図
【図６】データメモリの記憶フォーマットを示す図
【図７】画像メモリの記憶フォーマットを示す図
【図８】画像出力制御装置による制御内容を示すフローチャート
【図９】計数ユニットの構成を示す機能ブロック図
【図１０】計数ユニットによる制御内容を示すフローチャート
【図１１】景品引換券を示す正面図
【図１２】計数開始信号のフォーマットを示す図
【図１３】計数終了信号のフォーマットを示す図
【図１４】管理用データのフォーマットを示す図
【図１５】ＰＯＳ端末の構成を示す機能ブロック図
【図１６】ＰＯＳ端末による制御内容を示すフローチャート
【図１７】モニタ装置によるコマ撮り画像データの再生例を示す図
【図１８】画像リクエスト信号のフォーマットを示す図
【符号の説明】
１は計数ユニット（計数装置）、１ａは制御部（信号発生手段、補助信号発生手段）、２はＣＣＤカメラ（撮像手段）、３は録画制御装置（撮像制御手段）、４はスイッチユニット、６は画像メモリ（画像データ記憶手段）、７はデータメモリ（管理用データ記憶手段）、８はＰＯＳ端末（景品精算装置）、８ａは制御部（再生制御手段）、１０は画像出力制御装置、１７はカードリーダ、２０はモニタ装置、ＫＴは景品引換券（記録担体）を示す。
【図１】
0003693185.tif 000002
【図２】
0003693185.tif 000003
【図３】
0003693185.tif 000004
【図４】
0003693185.tif 000005
【図５】
0003693185.tif 000006
【図６】
0003693185.tif 000007
【図７】
0003693185.tif 000008
【図８】
0003693185.tif 000009
【図９】
0003693185.tif 000010
【図１０】
0003693185.tif 000011
【図１１】
0003693185.tif 000012
【図１２】
0003693185.tif 000013
【図１３】
0003693185.tif 000014
【図１４】
0003693185.tif 000015
【図１５】
0003693185.tif 000016
【図１６】
0003693185.tif 000017
【図１７】
0003693185.tif 000018
【図１８】
0003693185.tif 000019